(57)【要約】  【課題】  網目部と平板部との境界に発生する切り込み縁部に過大な引っ張り応力を発生させず、平板部に上刃の打痕を残さずに製品の美観を保つことのできる多孔床材とその製造方法及び多孔床材を使用した足場板、作業足場台を提供することを課題とする。  【解決手段】  金属板１に形成する網目部１３のストランド部１１の幅ずつ金属板１を前方に送り出し、下側金型２又は上側金型４のいずれか一方を１ストローク分動かすことで金属板１に切れ目を入れて網目短目寸法の１／２のストランド部１１を成形する切延工程を有し、該切延工程は金属板１の送り出し動作に同期させて網目長目寸法の１／２だけ金属板１を１回毎に左右交互に動かすとともに、第１切延工程を行った金属板１の進行方向の前後及び表裏を反転して、第１切延工程の切れ目の位置から網目部のストランド部１１の幅だけ送り込んだ位置を第２回目の切延工程の開始位置とする。【選択図】  図１
2005111543.tif 000002
【特許請求の範囲】
【請求項１】
矩形状の金属板の下面を支持する直線状の下側金型と、該下側金型と平行に配置され、かつ、上下動して前記下側金型の切刃端面と摺動することで前記金属板に切れ目を入れると同時に該切れ目を押し広げることのできる櫛歯状の上側金型と、を備えたプレス加工装置を使用し、
前記金属板に形成する網目部のストランド部の幅ずつ前記金属板を前方に送り出し、前記下側金型又は上側金型のいずれか一方を１ストローク分動かすことで前記金属板に複数の等間隔に配置された切れ目を入れて網目短目寸法の１／２のストランド部を成形する切延工程を有し、該切延工程は前記金属板の送り出し動作に同期させて網目長目寸法の１／２だけ前記金属板を１回の切延工程毎に左右交互に動かしながら行う多孔床材の製造方法であって、
第１切延工程を行った金属板の進行方向の前後及び表裏を反転して、第１切延工程の切れ目の位置から網目部のストランド部の幅だけ送り込んだ位置を第２回目の切延工程の開始位置とすることを特徴とする多孔床材の製造方法。
【請求項２】
前記プレス加工装置は、前記下側金型と前記上側金型とは定位置で上下方向の相対的な運動のみを行う汎用装置であって、前記金属板の送り出し動作と、該送り出し動作に同期させた前記金属板を１回毎に左右交互に動かす動作とは、前記プレス加工装置に着脱自在に設けられた定寸位置決め装置によって行うようにしたことを特徴とする請求項１に記載の多孔床材の製造方法。
【請求項３】
請求項１又は２に記載の多孔床材の製造方法によって得られた多孔床材の前記平板部に、該平板部の一部を折り曲げた折曲部を有するとともに該折曲部に続く立面部を有していることを特徴とする多孔床材。
【請求項４】
前記平板部と前記折曲部との間には、前記平板部より上方に突出する立ち上がり部を有していることを特徴とする請求項３に記載の多孔床材。
【請求項５】
請求項３又は４に記載の多孔床材の網目部を床面として使用していることを特徴とする足場板。
【請求項６】
請求項３又は４に記載の多孔床材の網目部を床面として使用していることを特徴とする作業足場台。
【請求項７】
請求項１又は２に記載の多孔床材の製造方法に使用する金型であって、
前記上側金型の櫛歯には、前記下側金型の切刃端面と摺動する切刃と、該切刃に続く略水平な突き当て部とを有し、前記上側金型の長手方向から見た各櫛歯の形状が前記突き当て部を頂上とする台形であり、前記上側金型の切刃の背面側には前記突き当て部から櫛歯の刃元部に向かう傾斜面を設けた肉逃げ部を有していることを特徴とする多孔床材用金型。
【請求項８】
請求項１又は２に記載の多孔床材の製造方法に使用するプレス加工装置であって、
前記下側金型の前記金属板の送り出し側の下方には、切延工程によって真下に送り出された切延加工済の金属板を斜め前方に送り出すためのガイド部材が設けられていることを特徴とするプレス加工装置。
【発明の詳細な説明】
【技術分野】
【０００１】
この発明は、作業床の床材として有用なエキスパンドメタルを採用した多孔床材及びその製造方法と、多孔床材を使用した足場板、作業足場台、並びに多孔床材を製作する際に使用する金型、プレス加工装置に関するものである。
【背景技術】
【０００２】
いわゆるエキスパンドメタルは、金属板に複数の直線の切れ目を千鳥状に入れ、同時にその切れ目を押し広げて菱形や亀甲形の網目状に加工されたものであって、網目の細い部分に当たるストランド部とこのストランド部を繋いでいる網目の太い部分に当たるボンド部とからなる金属部と、金属部を切り離して押し広げた大きな開口部とが縦横に複数連続した形態をしているため、開口率が非常に大きく、面積当たり重量が非常に小さい金属材料として知られている。
【０００３】
そのため、エキスパンドメタルの開口率の大きいことによる多孔特性と軽量性を活用すべく、従来から建設仮設分野の足場板や作業足場台等の足を乗せる作業床の床材として広く使用されている。
【０００４】
例えば、エキスパンドメタルを建築現場の外装工事を行う際の足場板の床材として使用した場合には、外壁のタイル張り、モルタル塗り及び塗装作業等において、モルタルや塗料が床材に落ちても、エキスパンドメタルの多数の開口部からほとんどのモルタルや塗料が床材の下に落ちていくことになる。その結果、現場作業によって床材が汚れたとしても、エキスパンドメタルの開口部が目詰まりすることがないので、長期間の使用に際しても、多孔特性による床材の下の採光性と軽量性が低下することがないといった利点を有している。
【０００５】
しかしながら、従来のエキスパンドメタルを床材として使用した足場板や作業足場台等には、その製造上の共通した欠点があった。
【０００６】
つまり、エキスパンドメタル素材の規格寸法（板厚、網目寸法、平面形状寸法等）から必要とされる床材の大きさに合わせて裁断して使用するため、裁断寸法が必ずしもエキスパンドメタル素材の網目寸法及び／又は平面形状寸法の整数倍になることは望めず、廃材が発生することによる材料の無駄が多かった。また、同一のエキスパンドメタル素材から裁断された複数の床材の網目部又は開口部の配置が一定しないため、床材の網目部と補強部材との溶接位置の不揃いが生じ、溶接作業の標準化ができないといった問題があった。
【０００７】
そこで、一部では、図１０に示したように、予め所定の寸法に裁断された鋼板を材料として、その鋼板の一方向の両端部に平板部４１，４１を残しその中間部にストランド部４２とボンド部４３とからなる網目部４４を形成することで、廃材を発生させないエキスパンドメタル４５が考えられている（例えば、特許文献１を参照のこと。）。
【０００８】
つまり、図１１及び図１２に示したように、鋼板４０の上面側４６で材料の進行方向と直交する方向に網目の長目方向中心間距離（以下、長目寸法という。）Ｎの半分の寸法（Ｎ／２）だけ左右に動く櫛歯状の上刃４７と、材料の下面側４８で上刃４７と摺動する位置に固定された連続した直線状の下刃４９とを有し、鋼板４０を網目のストランド部４２の幅ずつ送り出して上刃４７を上下方向に１ストローク分動かすことで、鋼板４０に直線状の所定寸法の切れ目５０を等間隔に入れて網目の短目方向中心間距離（以下、短目寸法という。）Ｍの半分の寸法（Ｍ／２）のストランド部４２を成形する工程を、上刃４７を左右交互に動かしながら順次繰り返して材料の縦横に複数連続した菱形や亀甲形の開口部５１を有する網目状のエキスパンドメタル４５を製造することのできる専用機があった。
【０００９】
しかしながら、この従来の平板部４１と網目部４４とを有するエキスパンドメタル４５を製造する専用機では、網目部４４を連続して成形している工程では何ら問題がないが、網目部４４と平板部４１との境界部の成形工程に問題があった。
【００１０】
つまり、加工前の鋼板４０に最初に上刃４７を押し込む場合には、図１３に示したように、上刃４７と下刃４９との相対運動により鋼板４０に第１回目の切れ目５０ａを入れてこの切れ目５０ａを押し広げる（以下、これを「切延工程」という。）際に、上刃４７の背面側が鋼板４０に接触することになり、この切刃のない部分で鋼板４０を無理矢理に押し下げることになるため、隣り合った最初の切れ目５０ａ，５０ａの境界に当たる切り込み縁部Ｅに大きな引っ張り応力が残留し、第２回目の切延工程の際に上刃の４７の突き当て部５２が最初のボンド部４３ａを押し下げるため、切り込み縁部Ｅに亀裂が入いったり、最悪の場合には最初のボンド部４３ａが切断されてしまい、製品にならないことがあった。また、平板部４１に突き当て部５２の打痕５３が残ることとなり、この上刃４７の打痕５３は製品にそのまま残ることになるため製品の外観を損ね、特に室内で使用される製品の場合には外観が重視されることから商品価値が落ちるといった問題があった。
【００１１】
さらには、上記従来の技術にあっては、鋼板４０の送りピッチ（ストランド部の幅）毎に上刃４７を左右交互に動かして上下動させるといった複雑な動作が要求されるため専用機を使用しなければならず、平板部４１と網目部４４とを有するエキスパンドメタル４５を製造するには新たな設備投資が必要であった。
【特許文献１】特開平８−１３５１２７号公報
【発明の開示】
【発明が解決しようとする課題】
【００１２】
そこで、この発明は、以上のような従来の技術の問題点を解消するために、多孔床材の製造に当たり、膨大な設備投資を必要とせず、素材である金属材料の無駄をなくすとともに、完成した製品の網目部の配置が同じ形態をしたものとすることで、補強部材との溶接位置が一定になるようにして溶接作業の標準化が行える多孔床材と、その多孔床材の製造方法を提供することを課題とする。
【００１３】
また、多孔床材の製造に当たり、網目部と平板部との境界に発生する切り込み縁部に過大な引っ張り応力を発生させず、平板部に上刃の打痕を残さずに製品の美観を保つことのできる多孔床材の製造方法を提供するとともに、その製造方法に使用する多孔床材用金型とプレス加工装置を提供することを課題とする。
【００１４】
さらに、多孔床材の平板部を加工して構造部材としての剛性を付加した多孔床材を提供するとともに、その多孔床材を床材の床面として使用した足場板及び作業足場台を提供することを課題とする。
【課題を解決するための手段】
【００１５】
上記課題を解決するために、請求項１に記載の発明は、矩形状の金属板の下面を支持する直線状の下側金型と、該下側金型と平行に配置され、かつ、上下動して前記下側金型の切刃端面と摺動することで前記金属板に切れ目を入れると同時に該切れ目を押し広げることのできる櫛歯状の上側金型と、を備えたプレス加工装置を使用し、前記金属板に形成する網目部のストランド部の幅ずつ前記金属板を前方に送り出し、前記下側金型又は上側金型のいずれか一方を１ストローク分動かすことで前記金属板に複数の等間隔に配置された切れ目を入れて網目短目寸法の１／２のストランド部を成形する切延工程を有し、該切延工程は前記金属板の送り出し動作に同期させて網目長目寸法の１／２だけ前記金属板を１回毎に左右交互に動かしながら行う多孔床材の製造方法であって、前記第１切延工程を行った金属板の進行方向の前後及び表裏を反転して、第１切延工程の切れ目の位置から網目部のストランド部の幅だけ送り込んだ位置を第２回目の切延工程の開始位置とすることを特徴としている。
【００１６】
請求項２に記載の発明は、請求項１に記載の発明の構成に加えて、前記プレス加工装置は、前記下側金型と前記上側金型とは定位置で上下方向の相対的な運動のみを行う汎用装置であって、前記金属板の送り出し動作と、該送り出し動作に同期させた前記金属板を１回の切延工程毎に左右交互に動かす動作とは、前記プレス加工装置に着脱自在に設けられた定寸位置決め装置によって行うようにしたことを特徴としている。
【００１７】
請求項３に記載の多孔床材に係る発明は、請求項１又は２に記載の多孔床材の製造方法によって得られた多孔床材の前記平板部に、該平板部の一部を折り曲げた折曲部を有するとともに該折曲部に続く立面部を有していることを特徴としている。
【００１８】
請求項４に記載のプレス装置に係る発明は、請求項３に記載の構成に加えて、前記平板部と前記折曲部との間には、前記平板部より上方に突出する立ち上がり部を有していることを特徴としている。
【００１９】
請求項５に記載の足場板に係る発明は、請求項３又は４に記載の多孔床材の網目部を床面として使用していることを特徴としている。
【００２０】
請求項６に記載の作業足場台に係る発明は、請求項３又は４に記載の多孔床材の網目部を床面として使用していることを特徴としている。
【００２１】
請求項７に記載の多孔床材用金型に係る発明は、請求項１又は２に記載の多孔床材の製造方法に使用する金型であって、前記上側金型の櫛歯には、前記下側金型の切刃端面と摺動する切刃と、該切刃に続く略水平な突き当て部とを有し、前記上側金型の長手方向から見た各櫛歯の形状が前記突き当て部を頂上とする台形であり、前記上側金型の切刃の背面側には前記突き当て部から櫛歯の刃元部に向かう傾斜面を設けた肉逃げ部を有していることを特徴としている。
【００２２】
請求項８に記載のプレス加工装置に係る発明は、請求項１又は２に記載の多孔床材の製造方法に使用するプレス加工装置であって、前記下側金型の前記金属板の送り出し側の下方には、切延工程によって真下に送り出された切延加工済の金属板を斜め前方に送り出すためのガイド部材が設けられていることを特徴としている。
【発明の効果】
【００２３】
この発明は、上記のような手段を採用しているため、請求項１に記載の発明によれば、金属板に対する第１回目の切延工程を行った金属板の進行方向の前後及び表裏を反転して、第１切延工程の切れ目の位置からストランド部の幅だけ送り込んだ位置を第２回目の切延工程の開始位置とするので、第１切延工程で切り取られずに残った接続部に上側金型の先端部が突き当った状態で第２回目の切延工程が行われることになり、網目部と平板部との境界に発生する切り込み縁部に過大な引っ張り応力を発生することなく第１切延工程で押し込まれて生じた凹部が、平らに矯正される。また、第２回目以降の切延工程を経ることで網目部を構成するストランド部及びボンド部に形を変えて消滅することになるため、平板部には上側金型の打痕が残ることがなく、製品の美観を保つことができる。
【００２４】
請求項２に記載の発明によれば、定寸位置決め装置を汎用のプレス加工装置に取り付けることで、請求項１に記載の発明を実施できるため、専用機を使用する場合に比べて、高価な設備投資を必要とせずに、網目部と平板部との境界に発生する切り込み縁部に過大な引っ張り応力を発生することなく、平板部には上側金型の打痕が残ることがない製品が得られる。また、多孔床材を生産しない場合には、定寸位置決め装置を取り外せば、汎用のプレス加工装置を別の製品の生産に利用できるため、設備の稼働率を上げることができる。
【００２５】
請求項３に記載の発明によれば、多孔床材の平板部に、該平板部の一部を折り曲げた折曲部を有するとともに該折曲部に続く立面部を有しているので、多孔床材の断面二次モーメントが大きくなるだけ多孔床材の曲げ剛性が高まる。
【００２６】
請求項４に記載の発明によれば、折曲部と立面部との間には、平板部より上方に突出する立ち上がり部を有しているので、立ち上がり部に対応した垂直方向の断面形状が増えるから、請求項３に記載の発明の効果に加えて、多孔床材の断面二次モーメントがさらに大きくなり、多孔床材の曲げ剛性がより高まる。また、床面の縁に立ち上がり部があることで、作業者が足の感覚で床面の縁を確認することができ、作業者の床材からの脱落防止に役立つ。さらに、多孔床材を床材として使用した各種製品の運搬の際に立ち上がり部が指掛かりとして機能するため、それら製品の運搬とそれら製品に纏わる組立解体作業のスピードアップが図れる。
【００２７】
請求項５に記載の発明によれば、請求項１乃至４に記載の多孔床材の網目部を床面として使用しているので、床面の外周縁は枠体としての立面部と続く平板部で構成され、床面の中央部は開口率の大きい網目部で構成され、床面と枠体とが一体構造となっているから、素材である金属材料の無駄をなくすとともに、網目部の配置が同じ形態をした多孔床材が完成する。そのため、多孔床材と多孔床材の補強部材との溶接位置が一定になるので、溶接ロボットを使用した自動溶接が可能となり、溶接作業の煩雑さがなくなる。これにより、多孔床材の網目部を床材の床面として使用した足場板のコストダウンが可能となる。
【００２８】
請求項６に記載の発明によれば、請求項１乃至４に記載の多孔床材の網目部を床面として使用しているので、床面の外周縁は枠体としての立面部と続く平板部で構成され、床面の中央部は開口率の大きい網目部で構成され、床面と枠体とが一体構造となっているから、素材である金属材料の無駄をなくすとともに、網目部の配置が同じ形態をした多孔床材が完成する。そのため、多孔床材と多孔床材の補強部材との溶接位置が一定になるので、溶接ロボットを使用した自動溶接が可能となり、溶接作業の煩雑さがなくなる。これにより、多孔床材の網目部を床材の床面として使用した作業足場台のコストダウンが可能となる。
【００２９】
請求項７に記載の発明によれば、上側金型の櫛歯の先端部には下側金型の切刃端面と摺動する切刃と該切刃に続く略水平な突き当て部とを有し、上側金型の長手方向から見た各櫛歯の形状が突き当て部を頂上とする台形であるので、接続部又はボンド部に突き当て部の打痕が残るが、平板部やストランド部に上側金型による傷がつくことがない。また、上側金型の切刃の背面側には突き当て部から櫛歯の刃元部に向かう傾斜面を設けた肉逃げ部を有しているので、第１切延工程によって生じる凹部の周囲の壁面部に残る傷も最小限に留まる。したがって、平板部と隣接したボンド部に続くストランド部に残る傷も最小限のものとなる。
【００３０】
請求項８に記載の発明によれば、下側金型の金属板の送り出し側の下方に設けられたガイド部材に切延工程によって真下に送り出された切延加工済の金属板がガイド部材に当たり、ガイド部材の形状に沿って斜め前方に送り出されることになるから、最終切延工程を終了した多孔金属板の送り出し方向の先端の平板部と網目部との交わる角度及び送り出し方向の後端の平板部と網目部との交わる角度とが鈍角になるため、平板状の多孔床材にするための矯正加工が容易となる。
【発明を実施するための最良の形態】
【００３１】
以下、この発明の実施の形態を図面を参照して説明する。
【００３２】
最初に、この発明の実施の形態に係る多孔床材を製作する製造方法を説明する。
【００３３】
図１は、この発明の実施の形態に係る多孔床材の製造方法のうち、第１切延工程を示した斜視図である。
【００３４】
まず、材料である金属板１の下面を支持する直線状の下側金型２の上に予め仕上がり寸法から逆算した素材寸法に裁断してある金属板１を裁置し、その送り方向の一方に、平板部３が所定寸法Ｓとなる位置に上側金型４の櫛歯状の切刃５を下方へ押し当てることで、金属板１の一部に送り方向と直交する第１の切れ目６ａを入れる。切れ目６ａを入れた櫛歯状の切刃５を更に押し下げて行くことで、押し下げた量に応じて金属板１が上側金型４の櫛歯の先端の突き当て部７で押されるため、上側金型４の側の金属板１の表面に突き当て部７に対応した凹部８が形成される。
【００３５】
ここで、切れ目６ａの長さと凹部８の深さとは上側金型４の櫛歯状の切刃５の形状と上側金型４の押し込み量（ストローク）で決定されるものであって、必要とするエキスパンドメタルの規格寸法（板厚、網目寸法、平面形状寸法等）によって適宜決定される。なお、この上側金型４によって金属板１に切れ目６ａを入れることと切れ目６ａを入れた金属板１を押し下げることを含めて切延工程と呼び、最初の切延工程を第１切延工程と呼び、その後実施する切延工程を順に第２切延工程、第３切延工程、・・・と呼ぶこととする。
【００３６】
なお、上側金型４の櫛歯には、下側金型２の切刃端面９と摺動する切刃５と該切刃５に続く略水平な突き当て部７とを有し、上側金型４の長手方向から見た各櫛歯の形状が突き当て部７を頂上とする台形であり、上側金型４の切刃５の背面側には突き当て部７から櫛歯の刃元部に向かう傾斜面を設けた肉逃げ部１０を有している。これにより、第１切延工程で、上側金型４を基準にして金属板１の送り出し側の表面に生じる凹部８の周囲の壁面部に残る傷を最小限に留めるよう考えられている。
【００３７】
図２は、この発明の実施の形態に係る多孔床材の製造方法のうち、第２切延工程直前の状態を示した斜視図である。図３は、この発明の実施の形態に係る多孔床材の製造方法のうち、第２切延工程直後の状態を示した斜視図である。図４は、この発明の実施の形態に係る多孔床材の製造方法のうち、第３切延工程中の状態を示した要部断面図である。
【００３８】
第２切延工程では、第１切延工程を行った金属板１の送り方向（進行方向）の前後及び左右を反転して、第１切延工程で切り込まれた切れ目６ａの位置から網目部のストランド部１１の幅だけ送り込んだ位置６ｂを金属板１の送り方向における第２切延工程の位置とし、第２切延工程の金属板１の送り方法と直交する方向（左右方向）における上側金型４の突き当て部７の位置を第１切延工程の隣り合う切れ目６ａ，６ａ，６ａ，・・・で残った平板部３と接続されている接続部１２に一致させて、上側金型４を１ストローク分押し下げる。これにより、金属板１に切れ目６ｂを入れると同時に切れ目６ｂを入れた金属板１を押し下げて、第３図に示したように、上向き凸部の１／２網目部１３ａと下向き凸部の１／２網目部１３ｂが左右に連続した形状の１／２網目部１３ｃが形成される。ここで、一回の切延工程では、上側金型４を１ストローク分動かすことで金属板１に切れ目６ｂを入れて網目短目寸法の１／２のストランド部１１を成形することができる。
【００３９】
次に、第２切延工程が済んだ金属板１をそのままの姿勢を保ち、第２切延工程に連続する形で第３切延工程を行う。
【００４０】
図４に示したように、第３切延工程における上側金型４の突き当て部７の金属板１の送り方向と直交する方向（左右方向）の位置は、第２切延工程で形成されたボンド部１４に一致させる。これにより、切れ目６が金属板１の送り方向と直交する方向（左右方向）に網目長目寸法の１／２だけずれることとなる。したがって、第３切延工程以降は、金属板１の送り出し動作に同期させて金属板１を網目長目寸法の１／２だけ金属板１を１回の切延工程毎に左右交互に動かしながら行うようにすることで、菱形の網目部１３が縦横に複数連続した開口部が形成される。
【００４１】
以後、最後の平板部３と網目部１３との境界位置まで順次ストランド部１１の幅ずつ送り出していき切延工程を繰り返す。
【００４２】
そして、最終的には、後端部に所定寸法の平板部３を残して切延工程を終了することで、図５に示したような、金属板１の対向する２辺に平板部３を有し、その２つの平板部３，３の間に、網目部１３の細い部分に当たるストランド部１１とこのストランド部１１を繋いでいる網目部１３の太い部分に当たるボンド部１４とからなる金属部と、金属部を切り離して押し広げた菱形をした縦横に並ぶ複数の開口部とで形成された多孔金属板１５が完成する。
【００４３】
金属板１としては、一般的な鋼板の他、アルミニウム合金やステンレス鋼等でも上記のような切延加工が可能である。
【００４４】
この切延工程を経て完成された多孔金属板１５は、送り出し方向の先端に位置する略水平な姿勢の平板部３ｂとこれに続く網目部１３とがほぼ直交して網目部１３が略垂直な姿勢であり、この網目部１３と送り出し方向の後端に位置する略水平な姿勢の平板部３ａとがほぼ直交した形態をしている。したがって、このクランク状に曲がった多孔金属板１５の両端の平板部３ａ，３ｂは、その間の網目部１３と同一平面になるように矯正することで、全体が平板状である多孔床材が完成することとなる。
【００４５】
なお、切延工程を繰り返すプレス加工装置にあっては、図６に示したように、下側金型２の金属板１の送り出し側の下方には、切延工程によって真下に送り出された切延加工済の金属板１を斜め前方に送り出すためのガイド部材１６を設けることが望ましい。ガイド部材１６は板状のものを曲げ加工して傾斜面を形成したものをプレス加工装置の一部の枠材１７等に取り付けるようにすればよい。これにより、切延工程によって真下に送り出された切延加工済の金属板１がガイド部材１６の形状に沿って斜め前方に送り出されることになるから、プレス加工装置の枠材１７等の突起物に切延加工済の金属板１が衝突してその送り出しが阻害されることがない。また、切延加工済の金属板１がガイド部材１６によって斜め前方に送り出される際に、切延工程で曲げられた金属板１が水平方向に僅か戻されることになるから、最終切延工程を終了した多孔金属板１５の送り出し方向の先端の平板部３ｂと網目部１３との交わる角度及び送り出し方向の後端の平板部３ａと網目部１３との交わる角度とが鈍角になるため、平板状の多孔床材にするための矯正加工が容易となる。
【００４６】
なお、この実施の形態に係る多孔床材を製作するには、金属板１の送り出し動作に同期させて金属板１を網目長目寸法の１／２だけ金属板１を１回毎に左右交互に動かしながら行うことが必要となるが、これを実現するために、従来のような金属板１の送り動作に同期して上側金型４が自動的に左右交互に位置を変えることのできる専用機を使用することは勿論可能である。
【００４７】
また、上側金型４又は下側金型２のいずれか一方が定位置で上下動する汎用プレス加工装置を使用し、金属板１の送り出し動作と、この送り出し動作に同期させた金属板１を１回毎に左右交互に動かす動作とは、汎用プレス加工装置に定寸位置決め装置（前後左右の位置決めができる位置決め装置）によって行うこともできる。この場合には、高価な専用機を導入することなく、例えば、動力にエアシリンダ、位置決めに光センサ、動作制御にシーケンス回路を使用した比較的安価にできる定寸位置決め装置を取り付けることで、上述した多孔床材の生産が可能となる。なお、定寸位置決め装置は、汎用プレス加工装置に対して、例えば、ボルト止め等によって着脱自在に設けられるようにしておくことで、必要に応じて他の製品の加工に使用できるので、多孔床材を生産しないときにも汎用プレス装置を遊ばせずに済む。
【００４８】
以下、この発明の実施の形態に係る多孔床材を床材として使用した製品例について説明する。
【００４９】
図７は、多孔床材を床材として使用した足場板の中央部横断面図である。図８は、多孔床材を床材として使用した足場板を示す斜視図である。  
【００５０】
平面のほとんどの部分を占める網目部１３とこの網目部１３の両側に残された平板部３，３からなる平板状の多孔床材１を成形加工することで、足場板２０の床材を製作する。
【００５１】
つまり、図７に示したように、平板状の多孔床材１の平板部３の一部を折り曲げて折曲部２１を形成し、この折曲部２１に続けて垂直方向の立面部２２を形成する。さらに、立面部２２の先に内側に向かう水平方向の平面部２３を形成する。これにより、多孔床材１の断面二次モーメントが大きくなるから、その分曲げ剛性が高められる。また、網目部１３と平板部３の一部が足場板２０の床面２４を構成し、平板部３の一部と立面部２２及び平面部２３とが足場板２０の長手方向に走る縦枠体２５を構成することになる。そして、第８図に示したように、足場板２０の縦枠体２５の両端部２６には、両端部２６の開口部を塞ぐ立面部を有する横枠体２７を溶接にて固定することで四方が剛性のある枠体で構成された軽量の足場板２０の本体が完成する。
【００５２】
向かい合う横枠体２７の立面部には、足場パイプＰに引っ掛けることのできる一対の掛止部材２８が所定間隔をおいて延出し固定されている。
【００５３】
なお、足場板２０の大きさによっては、床面の網目部１３が人間の体重により容易に変形することが考えられるので、必要に応じて、床面の下面に補強枠２９を縦横に配置する。
【００５４】
また、足場板２０の長手方向の縁に当たる平板部３の折曲部２２と立面部２３との間には、図７に示したように、平板部３より上方に突出する立ち上がり部３０を設けてもよい。これにより、多孔床材１の剛性がさらに高められるだけでなく、足場板２０の床面２４の縁を作業者が足の感覚で確認することができ、作業者の足場板２０からの脱落防止に役立つ。また、足場板２０の運搬の際に立ち上がり部３０が指掛かりとして機能するため、足場板２０を使用した仮設足場の組立解体作業のスピードアップに寄与できる。
【００５５】
図９は、多孔床材を床材として使用した作業足場台を示す斜視図である。
【００５６】
作業足場台３１は、脚立より床面の高さが低くて脚立より床面２４が大きいものであって、主に建物の内装工事に使用される。
【００５７】
作業足場台３１の床材の大きさは、図７に示した足場板２０とほとんど同じ大きさである。床材の四隅に当たる縦枠体２５の立面部２２には、立面部２２に沿って延出されたブラケット３２が設けられており、このブラケット３２には床面２４に上り下りするための踏み板３３を設けた脚部材３４の上端部３５が回動自在に軸支されている。ブラケット３２には、脚部材３４との関係を拘束することで脚部材３４の開き止めを施すことのできるロック手段（図示せず）を有している。
【００５８】
作業足場台３１は、作業時には、脚部材３４の下端部３６を拡開してブラケット３２に設けたロック手段を施すことで、作業足場台３１が組み立てた状態の形態を維持し自立する。また、脚部材３４の踏み板３３に足を掛けて床面２４へ登ったり、床面２４から地上に降りたりすることができるようになっている。
【００５９】
床材の床面２４での作業が終わったら、ロック手段を解除して脚部材３４の下端部３６を内側へ折り畳んで、その場所から撤去すればいい。
【００６０】
なお、上記実施の形態では、多孔床材を床材として使用した製品として、足場及び作業足場台について説明したが、その他階段の踏み板や脚立の床材として使用できる他、一般の機械、器具、装置その他の物に使用しても差し支えないことは勿論である。
【００６１】
また、この発明に係る多孔床材は、その製造段階で上側金型４の櫛歯状の切刃５によって切断された網目部１３（ストランド部１１）の切断面が床面２４の表面に現れることになるから、この発明に係る多孔床材を採用した足場板、作業足場台、階段、脚立や一般の機械、器具、装置その他の物の完成品にあっては、作業者の靴底に接した場合に高い滑り止めの効果を発揮することになり、特に、野外においては、雪や雨のような悪天候下での安全作業に寄与することができる。
【産業上の利用可能性】
【００６２】
この発明は、例えば、建築・土木現場での外壁のタイル張り、モルタル塗り及び塗装作業等において、モルタルや塗料が床材に落ちても、多孔床材の多数の開口部からほとんどのモルタルや塗料が床材の下に落ちていくことになるから、網目部が目詰まりすることないので、長期間の使用に際しても、その開口率の大きい多孔特性による床材の下の採光性とそれ自体の軽量性が低下することがない有用なものであって、建築・土木等の分野で使用される足場板や作業足場台等の床材として利用可能である。特に、雨降りの際には、多孔床材の多数の開口部を雨滴がすり抜けることとなり床面からの水跳ねの心配がないため、水跳ねによる建物の外壁の汚れが生じることがないので、野外で使用される足場板には最適である。
【００６３】
さらに、この発明の製造方法によれば、素材の金属板の無駄をなくした同一形態の多孔床材が製作できるため、補強部材との溶接作業の煩雑さなく、従来より外観のきれいな製品を製作することができるため、製造の分野でも有用に利用することができる。
【図面の簡単な説明】
【００６４】
【図１】この発明の実施の形態に係る多孔床材の製造方法のうち、第１切延工程を示した斜視図である。
【図２】同実施の形態に係る多孔床材の製造方法のうち、第２切延工程直前の状態を示した斜視図である。
【図３】同実施の形態に係る多孔床材の製造方法のうち、第２切延工程直後の状態を示した斜視図である。
【図４】同実施の形態に係る多孔床材の製造方法のうち、第３切延工程中の状態を示した斜視図である。
【図５】同実施の形態に係る多孔床材の製造方法のうち、最終切延工程終了後の状態を示した要部断面図である。
【図６】同実施の形態に係る多孔床材の製造に使用するプレス加工装置の送り出し側の要部断面図である。
【図７】同実施の形態に係る多孔床材を床材として使用した足場板の中央部横断面図である。
【図８】同実施の形態に係る多孔床材を床材として使用した足場板を示す斜視図である。
【図９】同実施の形態に係る多孔床材を床材として使用した作業足場台を示す斜視図である。
【図１０】従来のエキスパンドメタルの平面図である。
【図１１】同エキスパンドメタルの網目部の拡大平面図である。
【図１２】同エキスパンドメタルの製造方法の概要を示した斜視図である。
【図１３】同エキスパンドメタルを製造する際の第１切延工程後の要部平面図である。
【符号の説明】
【００６５】
１  多孔床材
２  下側金型
３、４１  平板部
４  上側金型
５  切刃
６  切れ目
７  突き当て部
８  凹部
９  切刃端面
１０  肉逃げ部
１１、４２  ストランド部
１２  接続部
１３、４４  網目部
１４、４３  ボンド部
１５  多孔金属板
１６  ガイド部材
２０  足場板
２１  折曲部
２２  立面部
２３  平面部
２４  床面
３０  立ち上がり部
３１  作業足場台
３２  ブラケット
３３  踏み板
３４  脚部材  
【図１】
2005111543.tif 000003
【図２】
2005111543.tif 000004
【図３】
2005111543.tif 000005
【図４】
2005111543.tif 000006
【図５】
2005111543.tif 000007
【図６】
2005111543.tif 000008
【図７】
2005111543.tif 000009
【図８】
2005111543.tif 000010
【図９】
2005111543.tif 000011
【図１０】
2005111543.tif 000012
【図１１】
2005111543.tif 000013
【図１２】
2005111543.tif 000014
【図１３】
2005111543.tif 000015